(57)【特許請求の範囲】
【請求項１】
背面及び両側面に意匠面を有していないフロアユニットに対して、その背面及び両側面には上部と下部に複数個の下孔が形成されており、このフロアユニットの背面及び両側面に対応するバックパネルとサイドパネルが前記フロアユニットの共通の汎用組合せパネルとして設けられており、
それらバックパネルおよびサイドパネルは、その外表面に意匠面（化粧面）を形成すると共に、その両側部に設けた縦桟と、その上部と下部の前記下孔に対応する部分に設けた横桟とを額縁の枠状に連結した下地枠を備え、前記下地枠で囲まれた内側の領域のバックパネルとサイドパネルにはその厚さ方向に貫通した複数の小孔が形成され、
前記意匠面を有していないフロアユニットの背面及び両側面に対して、貫通した複数の小孔が形成されたバックパネルとサイドパネルの前記下地枠が前記下孔に嵌合する固定ねじによって固定され、
それらバックパネル及びサイドパネルを汎用組合せパネルとしてその取り付け位置によって、
バックパネルの両端にそれぞれサイドパネルを組み合わせて壁付けしない独立設置式（アイランド型）のキッチン台を構成し、
バックパネルの一端を壁付けするとともにそのバックパネルの他端に前記サイドパネルを連結して片側壁付け式のキッチン台を構成し、
サイドパネルを使用せずにバックパネルの両端を壁付して両側壁付けキッチン台を構成し、
少なくとも前記３タイプのいずれかに組み合わされることを特徴とするキッチン台の組合せパネル材。
【請求項２】
前記バックパネル及びサイドパネルは、それぞれ、前記下地枠に金属パネルが固定された構造とされ、
かつその金属パネル構造のバックパネルの上部には下地枠に沿って折り曲げられた折曲部が形成され、この折曲部は下地枠の内側よりもさらに内方に伸ばされてその先端に傾斜部を備えており、
この傾斜部は前記フロアユニットにバックパネルが取り付けられた時、前記バックパネルの傾斜部を備えた先端がバックガードの上面に被さり、このバックパネルとバックガードとが一体となる請求項１に記載の組合せパネル材。
【請求項３】
前記フロアユニットに固定されたバックパネルの端に前記サイドパネルを固定するキッチン台において、固定されたバックパネルの下地枠の側縁にクリップ金具１４が固定され、また、サイドパネルのバックパネル側の側端部にはショルダスクリューが取り付けられ、前記サイドパネルとフロアユニットとの固定に先立って、バックパネルとサイドパネルはこのショルダスクリューと前記クリップ金具とが係合して仮止め状態で連結されるバックパネルとサイドパネルの角合わせを可能とすることを特徴とする請求項１又は２に記載の組合せパネル材。
【請求項４】
請求項１ないし３のいずれか１項に記載の組合せパネル材をキッチン台を構成するフロアユニットの外面に固定してなるキッチン台。
【発明の詳細な説明】
【０００１】
【発明の属する技術分野】
この発明は、キッチン台の組合せパネル材及びそれを用いたキッチン台に関する。
【０００２】
【従来の技術】
従来、例えば図１に示すように、背面及び両側面が壁付けされるキッチン台が用いられている。このようなキッチン台は三方が壁付けされることを前提に専用に作られており、汎用性はない。また、片側が壁付けされるキッチン台も、それ専用に作られ、やはり汎用性はない。従って、キッチン台の供給者は、受注を待って製造するか、あるいは予めいくつかのタイプの専用のキッチン台を複数種類用意しておいて出荷することとなるが、受注生産の場合は納期が遅くなり、また見込み生産で複数のタイプのストックを持つことは在庫の圧縮という観点から好ましいことではない。また、図１に示すような三方壁付けのキッチン台をリフォームにより対面キッチンあるいはアイランド型のキッチンとすることは困難であり、従ってそのような場合は既存のものを廃棄するか、あるいは一品製作でリフォームしなければならず、改修費が高いものとなる。
【０００３】
【発明が解決しようとする課題】
この発明は、様々なタイプのキッチン台に汎用的に対応できる、いわばコンポーネントタイプのキッチン台用パネル材を提供することにより、汎用性を高め、かつシステム設計の自由度を高めることを課題とする。
【０００４】
【課題を解決するための手段及び発明の効果】
この発明は、背面及び両側面に意匠面を有していないフロアユニットに対して、その背面及び両側面には上部と下部に複数個の下孔が形成されており、このフロアユニットの背面及び両側面に対応するバックパネルとサイドパネルが前記フロアユニットの共通の汎用組合せパネルとして設けられており、それらバックパネルおよびサイドパネルは、その外表面に意匠面（化粧面）を形成すると共に、その両側部に設けた縦桟と、その上部と下部の前記下孔に対応する部分に設けた横桟とを額縁の枠状に連結した下地枠を備え、前記下地枠で囲まれた内側の領域のバックパネルとサイドパネルにはその厚さ方向に貫通した複数の小孔が形成され、前記意匠面を有していないフロアユニットの背面及び両側面に対して、貫通した複数の小孔が形成されたバックパネルとサイドパネルの前記下地枠が前記下孔に嵌合する固定ねじによって固定され、それらバックパネル及びサイドパネルを汎用組合せパネルとしてその取り付け位置によって、バックパネルの両端にそれぞれサイドパネルを組み合わせて壁付けしない独立設置式（アイランド型）のキッチン台を構成し、バックパネルの一端を壁付けするとともにそのバックパネルの他端に前記サイドパネルを連結して片側壁付け式のキッチン台を構成し、サイドパネルを使用せずにバックパネルの両端を壁付して両側壁付けキッチン台を構成し、少なくとも前記３タイプのいずれかに組み合わされることを特徴とする。
【０００５】
これにより需要に合わせてバックパネル及びサイドパネルを適宜組み合わせることにより、片側壁付けでも、アイランドタイプでも、また両側壁付けでも、共通の汎用的なパネル材（コンポーネントパネル材）により大きな自由度をもって製作することができる。これによりメーカー側は予めサイドパネルやバックパネルのストックを用意したり、需要に応じて用意して、それらを組み合わせて使用すればよいから、需要者の要望に応じてより安価に各種のタイプのキッチン台を提供することができる。また需要者からすれば、選択の自由度が高まり、リフォーム等も容易に行えることになる。
【０００６】
【発明の実施の形態】
以下、本発明の実施の形態を図面に示す実施例を参照しつつ説明する。
まず、図１に示すように、三方が壁付けのキッチン台（フロアユニット）１の場合、その三面は壁付けされるため、外側に現れることを予定した意匠面とはされない。従って、このようなフロアユニット１は、三方が壁付けのキッチン台専用の構成となる。これに対し、図２（ａ）上図のように、壁付けを一切しない独立設置式（アイランド型）のキッチン台（フロアユニット）２、図２（ｂ）上図のように、片面を壁付けした片側壁付け式のフロアユニット３、図２（ａ）下図のように、同じく片側壁付け式のフロアユニットでＬ字状に構成されるフロアユニット４、図２（ｂ）下図に示すように、両側壁付けのフロアユニット５のタイプがある。
【０００７】
従来より、一般にこれら１〜５のキッチン台は、それぞれに専用のものが製品として製造され、かつストックされて、顧客の発注に応じて出荷されることとなるが、それぞれのキッチン台１〜５の専用の在庫を持つことは保管スペース、商品の効率的な回転等を考慮すると好ましいこととは言えない。
【０００８】
また、三方が壁付けのキッチン台１を、例えば図２（ａ）上図のようなアイランド式のキッチン台２、あるいは図２（ｂ）上図のような片側壁付け式のキッチン台３（対面式キッチン）に変更（リフォーム）しようとしても、キッチン台１は三方壁付けのものとして専用に作られているから、リフォームはきかず、結局このキッチン台１は廃棄することとなる。それでは粗大な廃棄物が生じ好ましくない。
【０００９】
そこで、三方壁付けのキッチン台１が選択されるにせよ、少なくとも背面は壁付けされないキッチン台２〜５のタイプのいずれが選択されるにせよ、図３及び図４に示すような、それらに汎用的なバックパネル７及び左右のサイドパネル８及び９を適宜選択的に組み合わせることにより、少なくとも一面は壁付けされないタイプの種々のキッチン台を得ることができる。また、図１のような三方壁付けのフロアユニット１を、図２のキッチン台２〜５のいずれのタイプにも簡単にリフォームすることが可能となる。
【００１０】
例えば図５のように、背面及び両側面に意匠面を有していないフロアユニット１０に対し、そのフロアユニット１０の背面下地面にバックパネル７を、またフロアユニット１０の左右の側面下地面にサイドパネル８及び９をそれぞれバックパネル７と角部が直角につながるように固定すれば、背面及び左右側面の３面が意匠面とされた、例えばアイランドタイプのキッチン台とすることが簡単にできる。
【００１１】
また、例えばサイドパネル９を廃止してこの側を壁付けにすれば、対面式のＩ型又はＬ型のキッチン台が簡単に構成できる。さらに、左右のサイドパネル８、９を省略してその両側面を壁付けにすれば両側壁付けのキッチン台が構成できるし、また、バックパネル７を省略して左右のサイドパネル８、９を用いれば、背面が壁付けで両側面が外部に現れるキッチン台も容易に得られる。
【００１２】
図６は、バックパネルの一例を示すもので、（ａ）は平面図、（ｂ）は裏面図、（ｃ）は右側面図である。（ｂ）に示すように、バックパネル７は枠状に構成された木材あるいはその他の構造材からなる下地枠１１を備え、下地枠１１は横材１１ａと縦材１１ｂとが額縁の枠をなすように連結され、この下地枠１１に対しバックパネル用エプロン（外表面を構成する意匠パネル材）１２が貼り付けられている。このエプロン１２は金属プレート、例えばアルミニウムあるいはアルミニウム合金製のパネルからなり、下地枠１１の外周縁の形状にほぼ等しい方形の形状をなす。そして、このエプロン１２はその上縁部が下地枠１１の上縁部上に被さるように折り曲げられており、またエプロン１２にはその厚さ方向に貫通して複数の小孔１３が形成されている。
【００１３】
これらの小孔１３は、この例で、横方向に複数列（例えば３列）に、一定の間隔（ピッチ）で形成されている。言い換えれば、これらの小孔１３は、横方向及び縦方向において等しい間隔で碁盤の目状に形成することができる。この小孔１３が形成されたパネル部位には下地枠１１は入り込んでいない。別の言い方をすれば、下地枠１１で囲まれた内側の領域に複数の小孔１３が形成されているとも言える。このバックパネル７の下地枠１１の側縁の所定位置（例えば上端部と下端部）には、クリップ金具１４が固定されている。クリップ金具１４は図１３にも示すように、下地枠１１の側端面にビス等の締結部材で固定されるとともに、中間部の隆起した部分に溝１５が形成され、この溝１５と下地枠１１の側端との間に隙間１６が生じている。
【００１４】
なお、バックパネル７のエプロン１２の側端１２ａは、下地枠１１の側端１１ａより側方へ突出し、溝１５が形成された金具隆起部分と同等かそれよりさらに側方へ突出した位置にある。溝１５は、後述する係合部材としてのショルダスクリュー１７を挿入させるもので、そのショルダスクリュー１７の頭部１７ａが溝１５の内側（隙間１６内）に、またフランジ１７ｂがその外側に位置して、中間の頸部１７ｃが溝１５に嵌り、クリップ金具１４をショルダスクリュー１７が挟み込む状態となる。これによって、クリップ金具１４が固定されたバックパネル７と、ショルダスクリュー１７が固定されたサイドパネル８又は９とが、仮止め状態で連結されることとなる。溝１５は、ショルダスクリュー１７の頭部１７ａを通過させる入口部１５ａと、その頭部１７ａより幅の狭い係合溝部１５ｂとを備え、この係合溝部１５ｂの下端又は中間にショルダスクリュー１７が位置して、バックパネル７とサイドパネル８又は９とが仮止め状態となる。
【００１５】
図７は、上述のバックパネル用エプロン１２を示すもので、そのエプロン１２の上端は、（ｄ）に示すように、下地枠１１の上端に沿ってほぼ直角に曲げられた折曲部７ａとされ、折曲部７ａは、下地枠１１の内端よりさらに内方へ延びて、その先端部が斜め下方へやや傾斜した傾斜部７ｂを含んでいる。この上側折曲部７ａの下地枠１１から突出した部分（傾斜部７ｂ）は、後述するようにフロアユニット（キッチン台中間品）の上端上に重なって連結される部分となる。そして、この傾斜部７ｂがフロアユニット１０の上端縁との間に隙間が発生することを抑制ないし解消する役割を果たす。上述のバックパネル７を製作する工程では、１枚の板の上縁部を曲げるだけでエプロン１２となり、そのエプロン１２に下地枠１１を所定の固着手段により、例えば吹付けのゴムのり等で貼り付けることにより完成するから、バックパネル７の製造が容易であり、その間口は素材となる板材の切断長さの調整で自由に設定できる。
【００１６】
図８は、サイドパネル８又は９（以下、８で代表させる）を示すもので、（ａ）が平面図、（ｂ）が裏面図、（ｃ）が側面図である。このサイドパネル８も基本的にはバックパネル７と同様の構造をなし、枠状の下地枠２１に、外表面（意匠面）を構成するパネル材として金属製（例えばアルミニウム又はアルミニウム合金等）のサイドパネル用エプロン２２（図９参照）が固定（例えば接着剤による接着（貼付け）等）されたものである。つまり、エプロン２２は外面装飾機能をなし、下地枠２１が骨組みを成す骨格部となる。その下地枠２１は、一対の横材２１ａと、これに組み合わされる一対の縦材２１ｂとを備え、さらに上側の横材２１ａの上側に接して上側横材２１ｄが接合され、この上側横材２１ｄの長手方向の帯状上端面には、アルミニウム帯材等からなる金属製又はその他意匠面を構成するエッジ材２１ｅが接合されている。なお、下側の横材２１ａの下端面にも同様なエッジ材２１ｅを接合してもよいし、これを省略することもできる。
【００１７】
また、サイドパネル用エプロン２２にも、板厚方向に貫通して複数の小孔２３が形成され、これら小孔２３の形成位置やピッチは、バックパネル用エプロン１２の小孔１３と対応付けて、同列的に同一のピッチで形成することができる。さらに、このサイドパネル用エプロン２２の両側端部は円弧状の断面を有するようにアールが付けられ（湾曲部２４が形成され）、この湾曲部２４のアールの終端は、バックパネル７と直角に突き合わされた状態で、そのバックパネル７の平面に滑らかに連続するようになっている。
【００１８】
図９は、そのサイドパネル用エプロン２２を示すもので、（ａ）が平面図、（ｂ）が正面図、（ｃ）が側面図、（ｄ）が上述の湾曲部２４の拡大図である。この湾曲部２４は、エプロン２２の正面の平坦面から始まって背面側に回り込むが、そのアールの終端からさらにある程度の平面部２４ａが延びて、この先端がバックパネル７との突き合わせ部となる。サイドパネル８又は９は、所定の奥行き（例えば７５０ｍｍ）用のものを例えば１種類用意して、汎用パネルとしてストックしておくことができる。
【００１９】
図１０〜図１４はアイランド型キッチン台を構成する場合を例にとって、所定のフロアユニット１０に対し、バックパネル７及びサイドパネル８及び９を取り付ける構造及び手順を示すものである。図１０はそれらのパネル７、８及び９を取り付ける前のフロアユニット１０を示している。このフロアユニット１０の背面及び左右の両側面はいずれも意匠面ではなく、取り付けられるパネル７、８及び９に対しては下地面となる。
【００２０】
図１１は、そのフロアユニット１０の背面にバックパネル７を取り付ける状態を示すものである。このバックパネル７の、ユニット１０への背面の装着に先立ち、ユニット背面の上部に横方向に形成された桟部２７に、予め固定ねじ用の下孔１０ａを形成し、またユニット背面の下部には複数のスペーサ２８を固定する。これらのスペーサ２８は、両面テープを備えたものとすることができ、その両面テープを剥がし、背板下部でユニット１０の底板に乗せ固定することができる。これらスペーサ２８にも固定ねじ用の下孔２８ａを形成しておく。
【００２１】
一方、バックパネル７はそのトップ（図７の７ａ及び７ｂ参照）の幅とユニット１０の幅とをあわせて、ユニット１０側の上端を構成するバックガード２９に引っ掛け、水平を確認してから、そのユニット１０の内部から固定ねじを上述の下孔１０ａ、２８ａを通じて、バックパネル７の下地枠１１に複数箇所で締め込んで固定する（この例ではバックパネル１枚当たり６箇所のねじ固定）。この際、バックパネル７の上端の延長部（７ａ、７ｂ）はバックガード２９の上面に被さり、あたかもバックガード２９とバックパネル７とが一体もののような形態となる。またバックパネル７の両側はユニット１０の両端とほぼ一致することとなる。
【００２２】
図１２は、フロアユニット１０の背面にバックパネル７が固定された後、さらにユニット１０の両側面にサイドパネル８及び９を固定する状態を示すものである。前述のように、サイドパネル８及び９のバックパネル７側の側端部には、ショルダスクリュー１７がそれぞれ取り付けられており、バックパネル７の側端に設けられた前述のクリップ金具１４に、サイドパネル８及び９のショルダスクリュー１７を嵌め込んで仮固定する。これは図１３で説明したように、ショルダスクリュー１７をクリップ金具１４に沿ってその上方から移動させると、ショルダスクリュー１７の頸部１７ｃがクリップ金具１４の溝１５に入り込むとともに、そのクリップ金具１４がショルダスクリュー１７の頭部１７ａとフランジ１７ｂとに挟まれた状態で仮固定される。その後、サイドパネル８及び９の下地枠２１（図８）に対応するねじ位置を設定して、ユニット１０の内部から固定ねじ用の下孔７ｃをあけ、その後サイドパネル８及び９の水平を確認し、バックパネル７との角部をそろえながら、ユニット１０の内部からサイドパネル８及び９の下地枠に対し複数の固定ねじ（例えばサイドパネル１枚当たり４箇所のねじ固定）で固定する。
【００２３】
図１４（ａ）は、以上のようにしてフロアユニット１０の背面及び両側面にバックパネル７、サイドパネル８及び９が固定された状態を示すものである。この際、（ｂ）に示すように、サイドパネル８又は９とバックパネル７とは、直角に角が合うようにされ、かつサイドパネル８又は９のエプロンの湾曲部２４がバックパネル７のエプロン１２の直線部と滑らかにつながるようになっている。言い換えれば、サイドパネル８又は９の湾曲部２４に対し、バックパネル７の外表面がほぼ接線方向となるようにサイドパネル８又は９が角合わせされる。また、バックパネル用エプロン１２の上端の折曲延長部７ａは、ユニット１０のバックガード２９の上端を被い、かつその折曲延長部７ａの先端側の傾斜部７ｂがバックガード２９との隙間を生じにくくする。
【００２４】
さらに、バックパネル７及びサイドパネル８及び９の外表面を形成する例えばアルミパネル（エプロン１２、２２）は、互いに対応する同一の意匠面の連なりとなる。かつ、バックパネル用エプロン１２及びサイドパネル用エプロン２２にそれぞれ形成された小孔１３及び２３も意匠的に連なるように構成されるため、全体として外観上ないし意匠上統一感のある形態となる。またこれらの小孔１３、２３は各エプロン１２及び２２の内外を連通させる通孔ともなり得るため、フロアユニット１０の内部空間の通気性を高める効果も期待できる。
【００２５】
なお、図１５（ａ）、（ｂ）に示すように、比較的横寸法の大きなフロアユニット３０に対しバックパネルを装着する場合は、バックパネルを複数に分割し、例えばバックパネル７ａ及び７ｂを一続きになるようにＰ点で突き合わせ、さらにこのような分割形態のバックパネル７ａのＰ点とは反対側の端部にサイドパネル８を、また他方の分割バックパネル７ｂのＰ点とは反対側の端部にサイドパネル９をそれぞれ組み付けて、長さの長いフロアユニット３０に対応することができる。
【００２６】
なお、図１６（ａ）に示すように、奥行きの比較的小さなフロアユニット４０（例えば奥行き６００ｍｍのもの）に対し、これより大きな奥行きとなるサイズのサイドパネル８、９を用いて実質上フロアユニットの奥行きの拡張をする場合（例えば奥行き６００ｍｍのものを７５０ｍｍに拡張するような場合）は、分割バックパネル７ａ及び７ｂのジョイント部Ｐの近傍に、それぞれ連結スペーサ４１を固定し、この連結スペーサ４１が奥行きの小さいフロアユニット４０の背面と、バックパネル７ａ及び７ｂとの隙間を埋める部材として介在させることができる。同図（ｂ）はフロアユニット４０の正面図（後側）で、バックパネルの裏面側を示している。
【００２７】
これらの連結スペーサ４１は、フロアユニット４０の奥行きが小さくてバックパネル７ａ及び７ｂをそのユニット４０の背面に直接固定できない場合に用い、これらスペーサ４１はバックパネル７ａ、７ｂの下地枠１１に固定ねじ等で固定される。図１７はその様子を示すものである。なお、一例として上側の連結スペーサ４１は、下地枠１１の上下方向の寸法幅内に納めるため縦に固定され、下側の連結スペーサ４１は、下地枠１１のより狭い上下幅に納まるように横置きで固定される。そして、これら連結スペーサ４１とフロアユニット４０の背部とが当接又はごく近接し、あるいは固定ねじ等で連結されることとなる。
【００２８】
以上の説明は、図２における（ａ）のアイランドタイプのキッチン台２を組み立てる例を示したが、（ｂ）、（ｃ）あるいは（ｄ）に示すように、片側を壁付けする場合はサイドパネル８及び９の一方を省略してフロアユニットの側面を壁に直付けするか、あるいはフロアユニットの両面を壁に直付けすればよい。
【図面の簡単な説明】
【図１】三方を壁付けする場合のキッチン台の平面図。
【図２】本発明のバックパネル及びサイドパネルを用いて構成できる各種のキッチン台を示す平面図。
【図３】図２の（ａ）に対応してアイランド型のキッチン台とした例を示す斜視図。
【図４】図３のバックパネル及びサイドパネルを取り出して示す斜視図。
【図５】図３のアイランド型のキッチン台を構成する場合の簡略な平面図。
【図６】バックパネルの一例を示す図。
【図７】バックパネル用エプロン（外装パネル）の一例を示す図。
【図８】サイドパネルの一例を示す図。
【図９】サイドパネル用エプロン（外装材）の一例を示す図。
【図１０】背面及び両側面が下地面となるフロアユニットを示す斜視図。
【図１１】そのフロアユニットにバックパネルを装着する状態を示す分解斜視図。
【図１２】バックパネルを固定したフロアユニットの両側面にさらにサイドパネルを固定する状態を示す分解斜視図。
【図１３】バックパネルとサイドパネルとの仮固定の構造を示す図。
【図１４】フロアユニットにバックパネル及び左右のサイドパネルが固定されて、アイランド型キッチン台が構成された例を示す図。
【図１５】横方向寸法の大きなフロアユニットに対し、分割タイプのバックパネルを装着した状態を示す図。
【図１６】奥行きの小さいフロアユニットに対し、その奥行きを拡張するように連結スペーサを介してバックパネルを固定する例を示す図。
【図１７】その連結スペーサの取付けの一例を示す斜視図。
【符号の説明】
７  バックパネル
８、９  サイドパネル
１０、３０、４０  フロアユニット
１１、２１  下地枠
１２  バックパネル用エプロン
１３、２３  小孔
２２  サイドパネル用エプロン
２４  湾曲部
【図１】
0003541022.tif 000002
【図２】
0003541022.tif 000003
【図３】
0003541022.tif 000004
【図４】
0003541022.tif 000005
【図５】
0003541022.tif 000006
【図６】
0003541022.tif 000007
【図７】
0003541022.tif 000008
【図８】
0003541022.tif 000009
【図９】
0003541022.tif 000010
【図１０】
0003541022.tif 000011
【図１１】
0003541022.tif 000012
【図１２】
0003541022.tif 000013
【図１３】
0003541022.tif 000014
【図１４】
0003541022.tif 000015
【図１５】
0003541022.tif 000016
【図１６】
0003541022.tif 000017
【図１７】
0003541022.tif 000018